(57)【特許請求の範囲】
【請求項１】
鋼板、非鉄金属板、樹脂板、あるいはフィルム状の対象物に付着した水分、油分、あるいは薬品成分等の流体を除去、搾取、洗浄する為の高速回転吸引ロールにおいて、前記高速回転吸引ロールはロール部及び台座を有し、前記台座は前記ロール部が外周に形成される本体部、及び前記本体部の両端に連接される継ぎ手部Ａ及び継ぎ手部Ｂを有し、前記本体部は開口部が形成されていると共に、外周に前記開口部に連通する孔部が開設されており、少なくとも前記継ぎ手部Ａには中空部が形成され、前記中空部は前記開口部と連通されており、前記開口部は前記継ぎ手部Ａ近傍の開口面積が前記継ぎ手部Ｂ近傍の開口面積より小にて形成された作用部を有すると共に、前記継ぎ手部Ａ側からの吸引力により流体が前記継ぎ手部Ｂから前記継ぎ手部Ａに向かって流通することを特徴とする高速回転吸引ロール。
【請求項２】
請求項１記載の構成よりなる高速回転吸引ロールにおいて、開口部の開口面積は継ぎ手部Ｂから継ぎ手部Ａに近づくほど大から小に徐変する作用部を有することを特徴とする高速回転吸引ロール。
【請求項３】
請求項１記載の構成よりなる高速回転吸引ロールにおいて、開口部は継ぎ手部Ｂから継ぎ手部Ａに向かって、段階的に開口面積が縮小する作用部を有することを特徴とする高速回転吸引ロール。
【請求項４】
請求項１から３のいずれか１項に記載の構成よりなる高速回転吸引ロールにおいて、本体部の内部に筒体が挿入されると共に、前記筒体に孔部及び作用部が形成されていることを特徴とする高速回転吸引ロール。
【請求項５】
請求項１から４のいずれか１項に記載の構成よりなる高速回転吸引ロールにおいて、該ロールの継ぎ手部Ａ側及び／又は継ぎ手部Ｂ側に回転バランスを補正する重量補正手段が施されていることを特徴とする高速回転吸引ロール。
【請求項６】
請求項１から５のいずれか１項に記載された高速回転吸引ロールと、該高速回転吸引ロールを回転駆動する駆動手段、及び真空ポンプを少なくとも有する洗浄装置。
【発明の詳細な説明】
【技術分野】
【０００１】
本発明は、主にラインスピードが７００ｍｐｍ以上の高速ラインで使用される高速回転吸引ロールと、この高速回転吸引ロールを搭載した洗浄装置に関するものである。
【背景技術】
【０００２】
従来より、鋼板、非鉄金属板、樹脂板、あるいはフィルム状からなる被洗浄面に付着した水分、油分、あるいは薬品成分等の液体を除去、搾取、洗浄する為のロールに関して、種々のロールが開発されており、継ぎ手部Ａ側から継ぎ手部Ｂ側に向かって、圧縮流体を噴射し、開口部の断面積を変化させることによって開口部に負圧を発生させ、ロール部に吸収された液体をロールの外部に排出してロールの耐用期間の長期化を図る発明が知られている（特許文献１）。
【０００３】
また、高速対応の真空吸液ロールとして、透孔及び空洞部を備えた軸本体と、この軸本体に設けた毛細管作用及び吸水作用をなすポーラス孔を多数有するロール本体と、軸本体の連通孔に設けた真空接続配管系とを備え、空洞部の収れん部に傘状のスペーサーコアを設けた発明が知られている（特許文献２）。
【０００４】
また、一方の端部が吸引側の筒状ロール軸部、他方の端部が気体導入側の筒状ロール軸部に狭窄形成され、胴壁には多数の透孔が配設された中空のロール胴部の外面にポーラス状不織布を巻装するとともに、ロール胴部内の吸引側に流体増速機構を設けた吸液ロールであって、吸引側の筒状ロール軸部を真空接続管に接続すると共に、気体導入側の筒状ロール軸部を気体導入配管に接続した発明が知られている（特許文献３）。
【先行技術文献】
【特許文献】
【０００５】
【特許文献１】特開２００７−３０１４８８号公報
【特許文献２】特開平７−１１３５７７号公報
【特許文献３】特開平７−３２３３０７号公報
【発明の概要】
【発明が解決しようとする課題】
【０００６】
しかしながら、上記特許文献１に開示されている技術においては、ロールの外部に排出される液体は、継ぎ手部Ｂ側より液体として直接、洗浄装置の内部に放出される為、洗浄装置の内部が流体のミスト等により汚染され、作業環境が悪化するという課題を有していた。
【０００７】
また、上記特許文献２に開示されている技術においては、スペーサーコアは設置の仕方によっては不安定で空洞部の収れん部から外れやすく、ベンチュリー効果を長期間に亘って発揮することができないという課題を有していた。
【０００８】
また、上記特許文献３に開示されている技術においても、吸液ロールの空洞部に設置された流体増速機構は、吸液ロールの回転中に空洞部から外れやすく、ベンチュリー効果を長期間に亘って発揮することができないという課題を有していた。
【０００９】
本発明は、上記のような課題を解決する為になされたもので、作業環境の汚染を防ぐと共に、ラインスピードが７００ｍｐｍ以上の高速ラインで使用される場合においても長期間に亘って良好な吸液性能が発揮される高速回転吸引ロールと、この高速回転吸引ロールを搭載した洗浄装置を提供することを目的としている。
【課題を解決するための手段】
【００１０】
上記従来の課題を解決する為に、請求項１の発明は、鋼板、非鉄金属板、樹脂板、あるいはフィルム状の対象物に付着した水分、油分、あるいは薬品成分等の流体を除去、搾取、洗浄する為の高速回転吸引ロールにおいて、前記高速回転吸引ロールはロール部及び台座を有し、前記台座は前記ロール部が外周に形成される本体部、及び前記本体部の両端に連接される継ぎ手部Ａ及び継ぎ手部Ｂを有し、前記本体部は開口部が形成されていると共に、外周に前記開口部に連通する孔部が開設されており、少なくとも前記継ぎ手部Ａには中空部が形成され、前記中空部は前記開口部と連通されており、前記開口部は前記継ぎ手部Ａ近傍の開口面積が前記継ぎ手部Ｂ近傍の開口面積より小にて形成された作用部を有すると共に、前記継ぎ手部Ａ側からの吸引力により流体が前記継ぎ手部Ｂから前記継ぎ手部Ａに向かって流通することを特徴としている。上記構成によって、ベルヌーイの定理により、継ぎ手部Ａ側の圧力エネルギーを最小にすることができ、負圧を最大にすることができることから吸引力を最大にすることができる。したがって、ロールの高速回転時において、遠心力よりも吸引力を大きくすることができるので、作業環境を汚染することなく、長期間に亘って優れた吸液性能を発揮することができる。
【００１１】
請求項２の発明は、請求項１記載の構成よりなる高速回転吸引ロールにおいて、開口部の開口面積は継ぎ手部Ｂから継ぎ手部Ａに近づくほど大から小に徐変する作用部を有することを特徴としている。上記構成によって、圧力損失を防ぎつつ、効率的に負圧を発生させることができる。
【００１２】
請求項３の発明は、請求項１記載の構成よりなる高速回転吸引ロールにおいて、開口部は継ぎ手部Ｂから継ぎ手部Ａに向かって、段階的に開口面積が縮小する作用部を有することを特徴としている。上記構成によって、開口部の開口面積を徐変させる加工よりも安価に加工することができ、製造コストを抑えることができる。
【００１３】
請求項４の発明は、請求項１から３のいずれか１項に記載の構成よりなる高速回転吸引ロールにおいて、本体部の内部に筒体が挿入されると共に、前記筒体に孔部及び作用部が形成されていることを特徴としている。上記構成によって、筒体の内部に作用部を加工できる為、筒体が形成されていない場合に比べて、作用部を容易かつ安価に加工する事ができる。また、本体部の内部に筒体を挿入する為、筒体を着脱して交換する事が可能となる。また、異なる開口面積を有する複数の筒体を順次挿入した場合には、作用部に段差を形成する事ができる為、段階的に開口面積が縮小する作用部を形成する事ができる。また、筒体には孔部が形成されてある為、ロール片内の油分等の流体をロールの外部に除去できる。また、筒体に樹脂を使用した場合には、軽くすることができ、加工も容易なことから製造コストを抑えることができると共に、ロールの重量バランスを極力平衡に保つことができる。また、筒体に樹脂の発泡体を使用した場合には、発泡体が外に広がろうとするため、本体部と筒体との隙間を無くすことができる。
【００１４】
請求項５の発明は、請求項１から４のいずれか１項に記載の構成よりなる高速回転吸引ロールにおいて、該ロールの継ぎ手部Ａ側及び／又は継ぎ手部Ｂ側に回転バランスを補正する重量補正手段が施されていることを特徴としている。上記構成によって、高速回転時の回転ブレを抑制することができる。
【００１５】
請求項６の発明は、洗浄装置の発明であって、請求項１から５のいずれか１項に記載された高速回転吸引ロールと、該高速回転吸引ロールを回転駆動する駆動手段、及び真空ポンプを少なくとも有することを特徴としている。上記構成によって、ロールの高速使用時においても優れた吸液性能を発揮することができる洗浄装置を提供することができる。
【発明の効果】
【００１６】
請求項１の発明では、作業環境を汚染することなく、高速使用時においても長期間に亘って優れた吸液性能を発揮することができる。また、請求項２の発明では、圧力損失を防ぎ、効率的に負圧を発生することができる。また、請求項３の発明では、製造コストを抑えることができる。また、請求項４の発明では、筒体が形成されていない場合に比べて、作用部を容易かつ安価に加工する事ができる。また、請求項５の発明では、ロールの重量バランスを極力平衡に保つことができ、回転ブレを抑制することができる。また、請求項６の発明では、ロールの高速使用時においても優れた吸液性能を発揮することができる洗浄装置を提供することができる。
【図面の簡単な説明】
【００１７】
【図１】本発明に係る高速回転吸引ロールの第１実施形態を示す正面図。
【図２】図１の断面図。
【図３】本発明に係る高速回転吸引ロールの第２実施形態を示す断面図。
【図４】本発明に係る高速回転吸引ロールの第３実施形態を示す断面図。
【図５】図４で説明した筒体の他例を示す断面図。
【図６】図５で説明した筒体の他例を示す断面図。
【図７】本発明に係る高速回転吸引ロールが搭載された洗浄装置の説明図。
【発明を実施するための形態】
【００１８】
図１及び図２を用いて、本発明に係る高速回転吸引ロールについて説明する。
【００１９】
図１及び図２において、高速回転吸引ロール１は、台座３、止め金具５、プレート６、及び複数のロール片４ａ、４ｂからなるロール部２より構成されている。台座３は、鉄、ＳＵＳ、アルミニウム等の金属材料からなり、外周にロール部２が形成されていると共に、開口部１０を有する本体部７、及び本体部７の両方の端部に連接され中空部１１を有する継ぎ手部Ａ８、及び継ぎ手部Ｂ９から形成されている。ロール部２は、不織布からなる複数のロール片４ａ、４ｂが台座３を構成する本体部７の外周に積層されると共に、重ね合わされて形成されており、両側から止め金具５、及びプレート６にて挟み付けられて形成されている。止め金具５は、ネジ止めのロックナットが使用されている。
【００２０】
図２において、台座３を構成する本体部７の外周には、複数の円形の孔部１４が千鳥状に開設されている。孔部１４は、本体部７の有する開口部１０に連通している。また、ロール片４ｂの下部には、複数の円形の孔部１４を連結するように、本体部７の円周方向外周に複数本の流体導入溝部１６が形成されてある。また、継ぎ手部Ａ８、及び継ぎ手部Ｂ９には、中空部１１が設けられていると共に、一方の端部には、ロータリージョイント（図示せず）が接続されるネジ部１２が形成されており、他方は本体部７の端部に、溶接による接合部１５を介して連接されている。
【００２１】
また、本体部７の開口部１０は、両側の中空部１１と連通しており、開口部１０は継ぎ手部Ａ８側近傍の開口面積が継ぎ手部Ｂ９側近傍の開口面積より小にて形成された作用部１３を有している。そして、継ぎ手部Ａ８側からの吸引力により流体が継ぎ手部Ｂ９側から継ぎ手部Ａ８側に向かって流通して、高速回転吸引ロール１の外部に排出される。
【００２２】
上述のように、流体を継ぎ手部Ｂ９側から継ぎ手部Ａ８側に向かって流通させるためには、継ぎ手部Ａ８側からの吸引力を、高速回転吸引ロール１の高速回転に伴い発生する遠心力よりも大きくする必要があり、本発明ではベルヌーイの定理を利用した構造とすることによって、遠心力＜吸引力という状態を実現している。
【００２３】
以下、ベルヌーイの定理について簡単に説明する。ベルヌーイの定理は、エネルギー保存の法則であり、開口部１０の任意のいずれの地点においても、流体の（位置エネルギー）＋（運動エネルギー）＋（圧力エネルギー）＝一定という式が成立する。したがって、継ぎ手部Ｂ９側近傍（開口部１０の開口面積が最大の地点、以下、Ｂ点という。）と、継ぎ手部Ａ８側近傍（開口部１０の開口面積が最小の地点、以下、Ａ点という。）のいずれにおいても位置エネルギーと、運動エネルギーと、圧力エネルギーの総和は一定である。ここで、Ｂ点とＡ点において、流体の位置エネルギーを比較した場合に、流体は横一線に流れるだけなので、Ａ点とＢ点における位置エネルギーは等しくなる（Ａ＝Ｂ）。
【００２４】
次に、流体の運動エネルギーを比較した場合、Ｂ点は開口面積が開口部１０の中で最大の為、流速は最も遅く、運動エネルギーは最小となる。一方、Ａ点は開口面積が開口部１０の中で最小の為、流速は最も速く、運動エネルギーは最大となる。したがって、運動エネルギーは、（Ａ＞Ｂ）である。
【００２５】
次に、流体の圧力エネルギーを比較した場合、上述のとおり、位置エネルギーは、（Ａ＝Ｂ）であり、運動エネルギーは、（Ａ＞Ｂ）であるから、ベルヌーイの定理によって、圧力エネルギーは、（Ａ＜Ｂ）となる。即ち、開口部１０における流体の圧力エネルギーはＢ点で最大となり、Ａ点で最小となる。
【００２６】
したがって、流体の出口側であるＡ点において流体の圧力エネルギーが最小になるということは、負圧として見た場合には、負圧の値は最大となる。また、負圧が大きくなるということは、吸引力が大きくなるということなので、高速回転吸引ロール１の高速回転時においても、遠心力＜吸引力という状態を実現し、液体を吸引することが可能となる。
【００２７】
ここで、第１実施形態における作用部１３は、開口部１０の開口面積が継ぎ手部Ｂ９側から継ぎ手部Ａ８側に近づくほど大から小に徐変する構成としており、このように構成することによって、圧力損失を防ぎつつ、効率的に負圧を発生させることができる。
【００２８】
尚、高速回転吸引ロール１の継ぎ手部Ａ８側及び継ぎ手部Ｂ９側には、回転バランスを補正する重量補正手段１７、１８を設けている。この重量補正手段１７、１８は、高速回転時の回転ブレを抑制するためのものであり、継ぎ手部Ｂ９側のように、錘であってもよいし、継ぎ手部Ａ８側のように、空洞であってもよい。また、重量補正手段１７、１８は、高速回転吸引ロール１の継ぎ手部Ａ８側又は継ぎ手部Ｂ９側のいずれか一方に設けても回転ブレを抑制することができるものである。
【００２９】
ロール部２の両端部に固定されるプレート６、及び止め金具５は鉄、ＳＵＳ、アルミニウム等の金属材料からなると共に、概円環状に形成されてあり、止め金具５の内周に形成されたネジ部Ｃ２６は、継ぎ手部Ａ８、及び継ぎ手部Ｂ９の外周に形成されたネジ部Ｂ２５に嵌合され、固定される。
【００３０】
図３は、本発明に係る高速回転吸引ロールの第２実施形態を示す断面図である。第２実施形態の高速回転吸引ロール１ａは、作用部１３ａ以外は第１実施形態と同様の構成となっているので、同一の構成の説明は省略する。作用部１３ａは、開口部１０が継ぎ手部Ｂ９側から継ぎ手部Ａ８側に向かって、段階的に開口面積が縮小する構成となっている。このような構成によって、開口部１０の開口面積を徐変させる第１実施形態の加工よりも安価に加工することができ、製造コストを抑えることができる。
【００３１】
図４は、本発明に係る高速回転吸引ロールの第３実施形態を示す断面図である。第３実施形態の高速回転吸引ロール１ｂは、本体部７ａの内部に筒体７ｂが挿入されると共に、筒体７ｂに孔部１４ｂ及び作用部１３ｂが形成されている。本体部７ａの外周には、複数の円形の孔部１４ａが開設されてあり、孔部１４ａは孔部１４ｂと連通して形成されてある。このように構成することによって、筒体７ｂの内部に作用部１３ｂを加工できる為、筒体７ｂが形成されていない場合に比べて、作用部１３ｂを容易かつ安価に加工する事ができる。また、本体部７ａの内部に筒体７ｂを挿入する為、筒体７ｂを着脱して交換する事が可能となる。また、筒体７ｂに樹脂を使用した場合には、軽くすることができ、加工も容易なことから製造コストを抑えることができると共に、ロールの重量バランスを極力平衡に保つことができる。また、筒体７ｂに樹脂の発泡体を使用した場合には、発泡体が外に広がろうとするため、本体部７ａと筒体７ｂとの隙間を無くすことができる。
【００３２】
尚、第３実施形態における筒体７ｂに形成されている作用部１３ｂは、第１実施形態と同様に、開口部１０の開口面積が継ぎ手部Ｂ９側から継ぎ手部Ａ８側に近づくほど大から小に徐変する構成としているが、第２実施形態と同様に、作用部１３ｂを開口部１０が継ぎ手部Ｂ９側から継ぎ手部Ａ８側に向かって、段階的に開口面積が縮小する構成としてもよいものである。
【００３３】
図５は、第３実施形態で説明した筒体の他例を示す断面図である。図５に示す筒体７ｃ、７ｄ、７ｅは、３個に分割された分割片であり、各々の分割片に、孔部１４ｃ、１４ｄ、１４ｅ、及び作用部１３ｃ、１３ｄ、１３ｅが形成されている。そして、筒体７ｃ、７ｄ、７ｅを、図４の第３実施形態で説明した本体部７ａに順次挿入することによって、高速回転吸引ロールが組み立てられるようにしている。このように、筒体を分割片とすることによって、作用部の加工が容易となり、製造コストを低減させることができる。
【００３４】
図６は、図５で説明した筒体の他例を示す断面図である。図６に示す筒体７ｆ、７ｇ、７ｈは、３個に分割された分割片であり、各々の分割片に、孔部１４ｆ、１４ｇ、１４ｈ、及び作用部１３ｆ、１３ｇ、１３ｈが形成されている。作用部１３ｆは、開口面積が除片する事無く、同一の内径にて形成されてある。作用部１３ｇ、１３ｈにおいても、作用部１３ｆと同様の構成にて形成されてある。また、開口面積は、１３ｈが最も大きく、次いで１３ｇ、１３ｆの順に、小さく形成されてある。そして、筒体７ｆ、７ｇ、７ｈを、図４の第３実施形態で説明した本体部７ａに順次挿入することによって、高速回転吸引ロールが組み立てられるようにしている。この時、作用部１３ｆ、１３ｇ、１３ｈ間に段差を形成する事ができる為、段階的に開口面積が縮小する作用部を形成する事ができる。筒体７ｆ、７ｇ、７ｈを組み立てる事により、段階的に開口面積が縮小する作用部を一体的に加工する事が無く、作用部の加工が容易となり、製造コストを低減させることができる。
【００３５】
次に、本発明の高速回転吸引ロールの吸引性能について試験した。下記に示した要領で測定し、その結果を表１に示した。
【００３６】
実施例１は、第１実施形態に示した作用部を有する高速回転吸引ロールの場合である。実施例２は、第１実施形態で示した作用部を有する高速回転吸引ロールであって、吸引力が弱くなった状態においてコンプレッサーを介して継ぎ手部Ｂ側から圧縮流体を間欠的に導入した場合である。実施例３は、第２実施形態に示した作用部を有する高速回転吸引ロールの場合である。実施例４は、第２実施形態で示した作用部を有する高速回転吸引ロールであって、吸引力が弱くなった状態においてコンプレッサーを介して継ぎ手部Ｂ側から圧縮流体を間欠的に導入した場合である。比較例１は、作用部を有していない継ぎ手部Ｂ側から継ぎ手部Ａ側までの間が直線的な開口部の吸引ロールの場合である。
【００３７】
ロールの外形は、実施例１〜４及び比較例１を、φ１００×φ７０×Ｆ３００×Ｌ５８０の寸法に統一した。線圧は、５ｋｇｆ／ｃｍとした。速度は、６００、７００、８００、９００、１０００（ｍｐｍ）の５段階で試験した。（Ｆはロール部の全長、Ｌはロールの全長）
【００３８】
テスト方法は、水道水を噴射し、真空ポンプを作動させてロール内部の水を吸引させた後（真空圧は、−７７．８ＫＰａ）、配管からの吸水状態を観察した。評価基準は、吸引する場合は、○、吸引するが、吸水量が少ない場合は、△、全く吸引しない場合は、×で示した。
【００３９】
【表１】
0005988478.tif 000002
【００４０】
上記の試験結果より、開口部の開口面積が継ぎ手部Ｂ側から継ぎ手部Ａ側に近づくほど大から小に徐変する作用部を有する第１実施形態の高速回転吸引ロールを使用することによって、ラインスピードが７００ｍｐｍ以上の高速ラインでの使用が可能なことが確かめられた。これは、ベルヌーイの定理に基づくベンチュリー効果が奏功しているものと考えられる。また、コンプレッサーを介して継ぎ手部Ｂ側から圧縮流体を間欠的に導入すれば、８００ｍｐｍ〜９００ｍｐｍの範囲の高速ラインにおいても使用が可能であることが確かめられた。
【００４１】
また、開口部の開口面積が継ぎ手部Ｂ側から継ぎ手部Ａ側に向かって、段階的に縮小する作用部を有する第２実施形態の高速回転吸引ロールを使用しても第１実施形態の作用部と同等の使用が可能であることが確かめられた。
【００４２】
図７を用いて、本発明に係る高速回転吸引ロールを搭載した洗浄装置について説明する。なお、構成の説明を容易にする為に、各部品の軸受け部や、支持部品の図示、説明は省略することとする。また、高速回転吸引ロールは、ラインスピードが７００ｍｐｍ以上の高速ラインにおいて、高速回転して鋼板に付着した水分や油分を除去するために用いられるものとする。
【００４３】
高速回転吸引ロール６１ａ、６１ｂは、洗浄装置６０に上下一対で設置され、上部に位置する高速回転吸引ロール６１ａの台座６３の両端部、すなわち継ぎ手部Ａ６８、及び継ぎ手部Ｂ６９に一定の圧力が加えられ、駆動手段６４により矢印の方向に回転駆動し、上部の高速回転吸引ロール６１ａと下部の高速回転吸引ロール６１ｂの間を、両面に油分等（図示せず）が付着した連続した長尺状の鋼板７０が白抜き矢印の方向に送出されている。また、継ぎ手部Ａ６８の端部にはロータリージョイント６６が挿入されると共に、配管６５を介して真空ポンプ６７に連接されている。上部に位置する高速回転吸引ロール６１ａは鋼板７０の表面から油分等を除去し、下部に位置する高速回転吸引ロール６１ｂは鋼板７０の裏面から油分等を除去する。油分等が付着した鋼板７０は、ロール部６２と接触し、ロール部６２を構成する不織布の有する極細繊維間に発生する空隙部による毛細管現象により、油分等がロール部６２に吸い上げられると共に、ロール部６２の空隙に放出される。なお、ロール６１ａ、６１ｂは、前述した第１実施形態の高速回転吸引ロール１と同一である。また、鋼板７０は、ピース状であっても、何ら支障はない。
【００４４】
上記の如くの高速回転吸引ロール６１ａ、６１ｂの状態において、真空ポンプ６７を稼働して真空吸引力を作用させると、ロール部６２に負圧が付加され、ロール部６２に吸収された油分等は、流体となり、流体は、流体溝部、及び孔部を通り、開口部に流れ込み、継ぎ手部Ａ６８に形成された中空部から配管６５を通り、高速回転吸引ロール６１ａ、６１ｂの外部に吸引されて、放出される。流体は、真空ポンプ６７にてフィルター（図示せず）を介し、図示しない配管を通り、洗浄油タンクへ再び送出される。従って、ロール部６２の吸液飽和状態が解消され、吸排機能が持続する為、高速回転吸引ロール６１ａ、６１ｂは長期間に亘って、鋼板７０に付着した油分等を、確実に除去することができる。
【００４５】
上記の如く構成された洗浄装置６０は、長期間に亘って、鋼板７０から油分等を確実に除去することができる高速回転吸引ロール６１ａ、６１ｂが搭載されていることから、優れた油分除去性能が発揮される。
【産業上の利用可能性】
【００４６】
本発明の高速回転吸引ロールは、主に、ラインスピードが７００ｍｐｍ以上の高速ラインにおいて、鋼板、非鉄金属板、樹脂板、あるいはフィルム状の被洗浄面に付着した水分、油分、あるいは薬品成分等の液体を除去、搾取、洗浄する目的以外にも、長期間に亘り、高温下で優れた液体の除去性能を必要とする高速回転吸引ロールとして、広く好適に使用することができる。
【符号の説明】
【００４７】
１、６１ａ、６１ｂ  高速回転吸引ロール
２、６２  ロール部
３、６３  台座
４ａ、４ｂ  ロール片
５  止め金具
６  プレート
７、７ａ  本体部
７ｂ、７ｃ、７ｄ、７ｅ、７ｆ、７ｇ、７ｈ  筒体
８、６８  継ぎ手部Ａ
９、６９  継ぎ手部Ｂ
１０  開口部
１１  中空部
１２  ネジ部
１３、１３ａ、１３ｂ、１３ｃ、１３ｄ、１３ｅ、１３ｆ、１３ｇ、１３ｈ  作用部
１４、１４ａ、１４ｂ、１４ｃ、１４ｄ、１４ｅ、１４ｆ、１４ｇ、１４ｈ  孔部
１６  流体導入溝部
６０  洗浄装置
６４  駆動手段
６５  配管
６６  ロータリージョイント
６７  真空ポンプ
７０  鋼板
【図１】
0005988478.tif 000003
【図２】
0005988478.tif 000004
【図３】
0005988478.tif 000005
【図４】
0005988478.tif 000006
【図５】
0005988478.tif 000007
【図６】
0005988478.tif 000008
【図７】
0005988478.tif 000009